(57)【特許請求の範囲】
【請求項１】
液晶パネルと、
前記液晶パネルを背面から照明する光源ユニットと、を備える液晶表示装置において、
前記光源ユニットは、
開口面を有する筺体と、
前記筐体の内部に配置される、長尺管状の蛍光管と、
前記筐体の内部に備わって、前記蛍光管の端部に形成される電極部を保持する電極ホルダと、
前記蛍光管の発光部が発光する光を散乱する拡散領域から、前記電極ホルダを遮蔽する遮蔽板を有するカバー部材と、を含んでなり、
前記カバー部材は、前記蛍光管を通す固定溝を有し、
前記蛍光管の前記液晶パネル側の面に近い側の前記固定溝の縁に、前記蛍光管と対向して配置され、前記蛍光管の長手方向の前記筐体内側に突出している庇部を有し、
前記庇部を含み、前記液晶パネルに垂直な面を平面Ｓ１とし、
隣接する前記蛍光管と前記蛍光管の中間に存在する前記遮蔽板を含み、前記液晶パネルに垂直な面を平面Ｓ２とし、
前記庇部を含み、前記液晶パネルに平行な面を平面Ｓ３とした場合に、
前記平面Ｓ１に含まれる前記カバー部材の断面形状の前記平面Ｓ３よりも前記液晶パネル側にある部分と、前記平面Ｓ２に含まれる前記カバー部材の断面形状の前記平面Ｓ３よりも前記液晶パネル側にある部分とが、異なることを特徴とする液晶表示装置。
【請求項２】
前記固定溝に対応して、前記庇部より前記液晶パネルに近い側の前記カバー部材の表面に、少なくとも２つの反射面からなり、前記反射面と前記反射面の境界を含み液晶パネルに垂直な面の一つが前記蛍光管の中心付近を含むリフレクタを有することを特徴とする請求項１に記載の液晶表示装置。
【請求項３】
前記平面Ｓ１は、前記蛍光管の長手方向と略平行であり、
前記蛍光管の中心付近を含み、
前記平面Ｓ１に関して、反射面が略対称的な形状となるリフレクタが、
前記庇部より前記液晶パネルに近い側の前記カバー部材の表面に配置されることを特徴とする請求項１に記載の液晶表示装置。
【請求項４】
前記平面Ｓ１に含まれる前記カバー部材の断面形状の前記平面Ｓ３よりも前記液晶パネル側にある部分が、前記平面Ｓ２に含まれる前記カバー部材の断面形状の前記平面Ｓ３よりも前記液晶パネル側にある部分よりも、前記液晶パネルの方向に突出している部分があることを特徴とする請求項１に記載の液晶表示装置。
【請求項５】
前記庇部が、前記液晶パネルと略平行な面だけではなく、前記液晶パネルと略垂直な面も有することを特徴とする請求項１に記載の液晶表示装置。
【請求項６】
隣接する前記蛍光管と前記蛍光管の間において、前記カバー部材の断面形状が前記液晶パネルから遠ざかる方向に凹んでいる形状であることを特徴とする請求項２から５に記載の液晶表示装置。
【請求項７】
前記蛍光管が外部電極蛍光管（所謂ＥＥＦＬ(External Electrode Fluorescent Lamp)）であることを特徴とする請求項１から６に記載の液晶表示装置。
【請求項８】
液晶パネルと、
前記液晶パネルを背面から照明する光源ユニットと、を備える液晶表示装置において、
前記光源ユニットは、
開口面を有する筺体と、
前記筐体の内部に配置される、長尺管状の蛍光管と、
前記筐体の内部に備わって、前記蛍光管の端部に形成される電極部を保持する電極ホルダと、
前記蛍光管の発光部が発光する光を散乱する拡散領域から、前記電極ホルダを遮蔽する遮蔽板を有するカバー部材と、を含んでなり、
前記カバー部材は、前記蛍光管を通す固定溝を有し、
前記蛍光管の前記液晶パネル側の面に近い側の前記固定溝の縁に、前記蛍光管と対向して配置され、前記蛍光管の長手方向の前記筐体内側に突出している庇部を有し、
前記庇部が、前記液晶パネルと略平行な面と、前記液晶パネルと略垂直な面を有し、
前記庇部の前記液晶パネルと略垂直な面よりも、略平行な面の方が、前記蛍光管の長手方向の前記筐体内側に突出していることを特徴とする液晶表示装置。
【請求項９】
液晶パネルと、
前記液晶パネルを背面から照明する光源ユニットと、を備える液晶表示装置において、
前記光源ユニットは、
開口面を有する筺体と、
前記筐体の内部に配置される、長尺管状の蛍光管と、
前記筐体の内部に備わって、前記蛍光管の端部に形成される電極部を保持する電極ホルダと、
前記蛍光管の発光部が発光する光を散乱する拡散領域から、前記電極ホルダを遮蔽する遮蔽板を有するカバー部材と、を含んでなり、
前記カバー部材は、前記蛍光管を通す固定溝を有し、
前記蛍光管の前記液晶パネル側の面に近い側の前記固定溝の縁に、前記蛍光管と対向して配置され、前記蛍光管の長手方向の前記筐体内側に突出している庇部を有し、
前記庇部の前記液晶パネル側に、前記液晶パネル側に向けて突出しているリフレクタを配置することを特徴とする液晶表示装置。
【請求項１０】
前記カバー部材において、前記液晶パネルと略平行な上面部と、前記上面部から前記筐体の底面に向かう前記遮蔽板との境界を拡散領域開始点とした場合に、
前記液晶パネルの左右端部付近に前記カバー部材は配置され、
前記カバー部材の上下端部の拡散領域開始点が、前記カバー部材の中心付近の拡散領域開始点よりも、前記筐体の外側方向にあることを特徴とする請求項１に記載の液晶表示装置。
【請求項１１】
前記固定溝と前記蛍光管の間に白色の弾性体を配置することを特徴とする請求項１に記載の液晶表示装置。
【発明の詳細な説明】
【技術分野】
【０００１】
本発明は、液晶表示装置に関するものである。
【背景技術】
【０００２】
近年、表示装置として、ＣＲＴ（Cathode Ray Tube）に代わって、発光型のプラズマディスプレイ表示装置や非発光型の液晶表示装置の使用が多くなっている。
【０００３】
このうち、液晶表示装置は、透過型の光変調素子として液晶パネルを用い、その裏面に照明装置（以下、バックライト装置と称する）を備えて光を液晶パネルに照射する。そして、液晶パネルはバックライト装置から照射された光の透過率を制御することにより画像を形成する。
【０００４】
液晶表示装置はＣＲＴに比べ、薄く構成できることが特徴の一つとなっているが、近年はさらに薄い液晶表示装置が望まれている。そのため、液晶表示装置を構成するバックライト装置の厚みも薄くすることが要求される。このような液晶表示装置のバックライト装置に関する技術として、例えば特許文献１にはＥＥＦＬ（External Electrode Fluorescent Lamp）を使用したバックライト装置が開示され、例えば特許文献２にはＣＣＦＬ（Cold Cathode Fluorescent Lamp）を使用したバックライト装置が開示されている。
【０００５】
【特許文献１】特開２００７−１８４２３２号公報（段落００５２参照）
【特許文献２】特開２００６−０３２３５８号公報（段落００１６参照）
【発明の開示】
【発明が解決しようとする課題】
【０００６】
ＥＥＦＬやＣＣＦＬは、長尺の細管で構成される蛍光管であることから、特許文献１や特許文献２に開示されるように、ＥＥＦＬやＣＣＦＬなどの蛍光管を使用するバックライト装置は厚みを薄くすることができる。しかしながら、ＥＥＦＬやＣＣＦＬ，ＨＣＦＬ（Hot Cathode Fluorescent Lamp）などの蛍光管は、その両端部は輝度が極端に低く暗い。これは、両端部に電極が形成されていることによる。
【０００７】
従来は、蛍光管とバックライト装置の前面に備わる拡散板の間の空間で、蛍光管が発光する光を散乱させることで、拡散板の輝度分布を均一化させることができる。
【０００８】
しかしながら、バックライト装置をさらに薄くすると、蛍光管と拡散板の距離が短くなることから、蛍光管が発光する光を充分に拡散させることができず、蛍光管の端部の輝度不足が、そのまま拡散板の輝度分布に反映される。換言すると、拡散板の輝度分布が均一化されず、その両端が暗くなる。
【０００９】
拡散板の両端が暗くなると、その前面に備わる液晶パネルの両端が暗くなることから、液晶表示装置に表示される映像の左右両端に縞状のムラが発生するという問題がある。
【００１０】
そこで本発明は、薄い構造であっても、良好に液晶パネルを照明できるバックライト装置を備える、液晶表示装置を提供することを課題とする。
【課題を解決するための手段】
【００１１】
前記課題を解決するため、本発明は、液晶パネルと、液晶パネルを背面から照明する光源ユニットと、を備える液晶表示装置において、光源ユニットは、開口面を有する筺体と、筐体の内部に配置される、長尺管状の蛍光管と、筐体の内部に備わって、蛍光管の端部に形成される電極部を保持する電極ホルダと、蛍光管の発光部が発光する光を散乱する拡散領域から、電極ホルダを遮蔽する遮蔽板を有するカバー部材と、を含んでなり、カバー部材は、蛍光管を通す固定溝を有し、蛍光管の液晶パネル側の面に近い側の固定溝の縁に、蛍光管と対向して配置され、蛍光管の長手方向の筐体内側に突出している庇部を有し、庇部を含み、液晶パネルに垂直な面を平面Ｓ１とし、隣接する蛍光管と蛍光管の中間に存在する遮蔽板を含み、液晶パネルに垂直な面を平面Ｓ２とし、庇部を含み、液晶パネルに平行な面を平面Ｓ３とした場合に、平面Ｓ１に含まれるカバー部材の断面形状の平面Ｓ３よりも液晶パネル側にある部分と、平面Ｓ２に含まれるカバー部材の断面形状の平面Ｓ３よりも液晶パネル側にある部分とが、異なる構成とする。
【００１２】
また、そのカバー部材は、蛍光管を通す固定溝を有し、蛍光管の液晶パネル側の面に近い側の固定溝の縁に、蛍光管と対向して配置され、蛍光管の長手方向の筐体内側に突出している庇部を有し、庇部が、液晶パネルと略平行な面と、液晶パネルと略垂直な面を有し、庇部の液晶パネルと略垂直な面よりも、略平行な面の方が、蛍光管の長手方向の筐体内側に突出している構成とする。
【００１３】
また、その庇部の液晶パネル側に、液晶パネル側に向けて突出しているリフレクタを配置する構成とする。
【００１４】
また、カバー部材において、液晶パネルと略平行な上面部と、上面部から筐体の底面に向かう遮蔽板との境界を拡散領域開始点とした場合に、液晶パネルの左右端部付近にカバー部材は配置され、カバー部材の上下端部の拡散領域開始点が、カバー部材の中心付近の拡散領域開始点よりも、筐体の外側方向にある構成とする。
【００１５】
また、固定溝と蛍光管の間に白色の弾性体を配置する構成とする。
【発明の効果】
【００１６】
本発明によると、薄い構造であっても、良好に液晶パネルを照明できるバックライト装置を備える、液晶表示装置を提供することができる。
【発明を実施するための最良の形態】
【００１７】
《第１の実施形態》
以下、本発明を実施するための最良の形態について、適宜図を用いて詳細に説明する。
【００１８】
図１は第１の実施形態にかかる液晶表示装置の構成斜視図、図２の（ａ）は、液晶パネルの配線と駆動回路の配置を示す図、（ｂ）は、ＴＦＴ（Thin Film Transistor）と画素電極の配置を示す図である。第１の実施形態では、図１に示すように、液晶パネル１２０の表示画面を基準として上下左右および前背面を定義した。
【００１９】
図１に示すように、第１の実施形態に係る液晶表示装置１は、主に液晶パネル１２０，バックライト装置１０３と、を含んで構成される。そして液晶表示装置１は、上フレーム１３７，中間フレーム１３８，光学シート１３４などを含んでなる。
【００２０】
さらに、図示はしないが、液晶表示装置１には、液晶表示装置１を制御する制御装置や、バックライト装置１０３等に電源電圧を供給するＤＣ／ＤＣ電源等を備える駆動部が備わる。制御装置は、液晶パネル１２０やバックライト装置１０３などを制御したり、液晶表示装置１に表示される画像を画像処理したりする装置であって、例えば図示しないＣＰＵ（Central Processing Unit），ＲＡＭ（Random Access Memory），ＲＯＭ（Read Only Memory）などを備えるコンピュータおよびプログラム、周辺回路などを含んで構成され、ＲＯＭに記憶されるプログラムによって駆動される。
【００２１】
上フレーム１３７は鉄やアルミなどの金属からなり、液晶パネル１２０の前面に配置され、液晶表示装置１の前面カバーとしての機能を有する。そして上フレーム１３７は液晶表示装置１の表示エリア部が開口された形状となっている。
【００２２】
また、中間フレーム１３８は樹脂からなり、液晶パネル１２０の背面に配置され、液晶パネル１２０を固定する機能を有する。中間フレーム１３８は、背面に備わるバックライト装置１０３が、液晶パネル１２０を照明可能なように中央部分が開口し、開口の周囲に溝１３８ａが形成される。
【００２３】
液晶パネル１２０は、中間フレーム１３８の溝１３８ａに嵌め込まれる。そして、上フレーム１３７が、中間フレーム等を覆って、下フレーム１０３ｃに固定される。
【００２４】
バックライト装置１０３は、主に光源ユニット１０３ａと拡散板１０３ｂとから構成される。光源ユニット１０３ａは、前面側に開口面を有する下フレーム１０３ｃに、ＥＥＦＬなどの蛍光管１０４が、下フレーム１０３ｃの長手方向に平行に配置されて構成され、下フレーム１０３ｃの開口面を覆うように拡散板１０３ｂが備わる。なお、下フレーム１０３ｃは、光源ユニット１０３ａの筐体として機能する部材である。
【００２５】
さらに、図示はしないが蛍光管１０４を駆動するインバータがバックライト装置１０３に備わる。
【００２６】
本実施形態例では、蛍光管１０４をＥＥＦＬとする。なお、蛍光管１０４はＥＥＦＬに限定されず、ＣＣＦＬやＨＣＦＬ（Hot Cathode Fluorescent Lamp）など、他の蛍光管であってもよい。また、図１には６本の蛍光管１０４が記載されるが、この数は限定されるものではない。例えば３２型の液晶パネル１２０においては、ＥＥＦＬやＣＣＦＬで１６〜２０本の蛍光管が必要になり、ＨＣＦＬを使用する場合は、３〜１０本の蛍光管が必要になる。ＨＣＦＬは電極付近が使用時間とともに黒くなり、左右端部が使用時間とともに暗くなる。したがって、製品設計段階では経時変化で黒くなる領域を想定して設計する必要がある。ＣＣＦＬは蛍光管端部からガラス管の内側にある電極までが発光しない。したがって、何れの蛍光管を使用した場合でも、左右両端が暗くなるという課題がある。特に、液晶テレビの額縁を薄くしたときに、課題はさらに顕著になる。
【００２７】
管ホルダ１０３ｇは下フレーム１０３ｃの内側に固定される。管ホルダ１０３ｇと下フレーム１０３ｃとで反射シート１０３ｆの一部を挟み込むことで、反射シート１０３ｆを下フレームに固定する。蛍光管１０４は、管ホルダ１０３ｇに保持されることにより、反射シート１０３ｆから所定の高さの位置に固定される。そして、下サイドモールド１０６は下フレーム１０３ｃに固定される。この下サイドモールド１０６には、蛍光管１０４の両端に形成される電極部１０４ａを保持する電極ホルダ１０３ｅが固定されている。そして、下サイドモールド１０６に覆いかぶさるように設けられる上サイドモールド１０５に、拡散板１０３ｂが固定される。
【００２８】
また、第１の実施形態においては、上サイドモールド１０５にリフレクタ１０５ｅが形成されている。
【００２９】
下フレーム１０３ｃの内側に配置される反射シート１０３ｆは、蛍光管１０４が発光する光を効率良く前面の側に拡散反射する。更に、下フレーム１０３ｃの前面側に備わる拡散板１０３ｂは、蛍光管１０４の光を拡散させながら透過させるとともに拡散させながら反射する。このことによって、蛍光管１０４から発光された光は、反射シート１０３ｆと拡散板１０３ｂの間を複数回の拡散と反射を繰り返しながら拡散板１０３ｂから出射して液晶パネル１２０に入射される。なお、反射シート１０３ｆと拡散板１０３ｂの間を複数回の拡散と反射を繰り返しながら出射した後、蛍光管１０４が発光した光は、拡散板１０３ｂの前面側に備わる複数枚（図１においては、３枚）の光学シート１３４により、拡散性と指向性とが制御される。
【００３０】
光学シート１３４は中間フレーム１３８の背面に配置され、バックライト装置１０３から出射した光のさらなる面内均一化または正面方向の輝度を向上させる指向性付与機能を有する。光学シート１３４の枚数は限定されるものではなく、図１に光学シート１３４は、３枚記載している。
【００３１】
このように構成されるバックライト装置１０３は、液晶パネル１２０の背面に配置され、液晶パネル１２０を背面から照明する機能を有する。
【００３２】
液晶パネル１２０は２枚のガラス基板間に液晶を挟持した構成を有し、液晶を構成する液晶分子の配向状態が制御されることによりバックライト装置１０３から出射した光の透過／遮断を制御する光シャッタとしての機能を有する。
【００３３】
図２の（ａ）に示すように、液晶パネル１２０は、信号配線１２０ｃと走査配線１２０ｄとが格子状に配線され、信号配線１２０ｃを駆動するための信号配線駆動回路１２０ａと走査配線１２０ｄを駆動するための走査配線駆動回路１２０ｂとが備わる。
【００３４】
また、図２の（ｂ）に示すように、信号配線１２０ｃと走査配線１２０ｄとの格子点に液晶１２０ｆを駆動するＴＦＴ１２０ｅが接続される。ＴＦＴ１２０ｅは、走査配線１２０ｄに正の電圧が印加されると、信号配線１２０ｃと画素電極１２０ｇの間を導通させる。このとき、信号配線１２０ｃから画像データに応じた電圧が画素電極１２０ｇに印加され、該画素電極１２０ｇと対向電極１２０ｈの間の電圧に応じて、液晶１２０ｆのシャッタが開閉する。液晶１２０ｆのシャッタが開くと、図１に示すバックライト装置１０３から出射された発光を透過して明るい画素となる。液晶１２０ｆのシャッタが開いてない場合には暗い画素となる。
【００３５】
液晶１２０ｆのシャッタの開閉と液晶に印加される電圧（≒画素電極１２０ｇと対向電極１２０ｈの間の電圧）の関係は、所謂、液晶１２０ｆの表示モードに依存する。一般的なテレビ受像機向け液晶パネル１２０の表示モードの一例としては、液晶１２０ｆに印加される電圧の絶対値が大きいとき（５Ｖ程度）は明るい画素となり、小さいとき（０Ｖ程度）は暗い画素となる。この際、０Ｖと５Ｖの間の電圧では、非線形的ではあるが電圧の絶対値が大きくなるほど明るくなる。そして、０Ｖと５Ｖの間を適当に区切ることで階調表示を行うことができる。言うまでもないが、本発明はこれら表示モードを限定しない。
【００３６】
また、ＴＦＴ１２０ｅに接続されている走査配線１２０ｄに負の電圧が印加されている場合は、信号配線１２０ｃと画素電極１２０ｇの間は高抵抗の状態となり、液晶１２０ｆに印加されている電圧は保持される。
【００３７】
このように、走査配線１２０ｄと信号配線１２０ｃへの電圧によって、液晶１２０ｆが制御される構成である。
【００３８】
走査配線駆動回路１２０ｂは、一定の周期で、例えば順次上から下に向かって、走査配線１２０ｄの一つに所定の電圧を印加するように走査する機能を有する。また、信号配線駆動回路１２０ａは、走査配線駆動回路１２０ｂが所定の電圧を印加している走査配線１２０ｄに接続される各画素に対応する電圧を、各信号配線１２０ｃに印加する。
【００３９】
このような構成とすれば、電圧が印加されている走査配線１２０ｄで、明るい画素と暗い画素とが設定できる。そして、走査配線駆動回路１２０ｂの走査に伴って、信号配線駆動回路１２０ａが各信号配線１２０ｃに印加する電圧を制御することで、全ての走査配線１２０ｄに明るい画素と暗い画素を設定することができ、液晶パネル１２０に映像を構成することができる。
【００４０】
なお、信号配線駆動回路１２０ａと走査配線駆動回路１２０ｂは、例えば液晶表示装置１（図１参照）に備わる、図示しない制御装置が制御する構成とすればよい。
【００４１】
図示しない制御装置は、例えば、液晶パネル１２０に表示する画像信号を、液晶１２０ｆ（図２の（ｂ）参照）ごとの明暗の情報として管理する機能を有する。そして、走査配線駆動回路１２０ｂを制御して順次上から下に向かって、走査配線１２０ｄの一つに所定の電圧を印加するように走査するとともに、所定の電圧を印加している走査配線１２０ｄが接続しているＴＦＴ１２０ｅに接続される信号配線１２０ｃの明暗の情報に対応して、各信号配線１２０ｃに所定の電圧が印加されるように信号配線駆動回路１２０ａを制御する構成とすればよい。
【００４２】
図３は、バックライト装置を示す図である。図３に示すように、バックライト装置１０３は拡散板１０３ｂと光源ユニット１０３ａとを含んでなる。光源ユニットの筐体を構成する下フレーム１０３ｃは、前面側に開口面を有する浅い箱型の部材であって、開口面に対向する底面１０３ｄに、複数（図３においては６本）の蛍光管１０４が配置される。下フレーム１０３ｃの素材は限定されるものではなく、例えば鉄などの金属の板金加工や樹脂成形により形成される。そして、蛍光管１０４が発光する光線を効率よく前面側に照射するため、下フレーム１０３ｃの内側には、光を反射しやすい反射面を形成していることが好ましく、下フレーム１０３ｃの内側には、前記したように反射シート１０３ｆが配置されている。
【００４３】
なお、反射面を形成する方法としては、反射シート１０３ｆを貼り付ける他、例えば白色や銀色の反射率の高い塗料を塗布するなどの方法であってもよい。
【００４４】
そして、本実施形態に係る光源ユニット１０３ａには、後記するリフレクタ１０５ｅが備わる。
【００４５】
拡散板１０３ｂは、例えばアクリルなどの樹脂からなり、蛍光管１０４が発光する光を拡散反射および拡散透過させる。
【００４６】
下フレーム１０３ｃの内部には、左右両端に上サイドモールド（カバー部材）１０５が、例えば、ネジ止めなどで固定される。上サイドモールド１０５は、例えば樹脂などで形成される部材であって、下フレーム１０３ｃの底面１０３ｄ（一部図面等で反射シート１０３ｆを省略する場合があるが、下フレーム１０３ｃの底面１０３ｄは反射シート１０３ｆで覆われている。但し、白色樹脂等で下フレーム１０３ｃが構成されている場合は、反射シート１０３ｆが無い場合もある。）に平行な上面部１０５ｂと、上面部１０５ｂから下フレーム１０３ｃの底面１０３ｄに向かって下るように形成される遮蔽板１０５ａを有する。そして、下フレーム１０３ｃの左右に両側に備わる上サイドモールド１０５，１０５の、対向する遮蔽板１０５ａ，１０５ａの間の領域と、下フレーム１０３ｃに囲まれる領域に拡散領域Ｄが形成される。拡散領域Ｄは、図１に示す液晶パネル１２０が映像を表示する領域より、数mm程度大きく形成される領域であって、バックライト装置１０３は、拡散領域Ｄを照明することで液晶パネル１２０を背面から照明する。
【００４７】
なお、符号Ｃで示す一点鎖線は、下フレーム１０３ｃ内において互いに対向して備わる遮蔽板１０５ａの中心、すなわち、拡散領域Ｄの中心である左右中心を示す。そして、左右中心Ｃは、下フレーム１０３ｃの左右中心と略一致するものとする。
【００４８】
また、上サイドモールド１０５は、蛍光管１０４が発光する光を拡散板１０３ｂの方向に反射することで散乱する機能を有することが好ましく、反射率の高い樹脂で造られることが好ましい。
【００４９】
遮蔽板１０５ａには、蛍光管１０４が貫通する固定溝１０５ｃが、蛍光管１０４と同数備わり、図３に示すように、蛍光管１０４の端部が貫通する。蛍光管１０４は、光を発光する発光部１０４ｂと、その両端に形成される発光しない電極部１０４ａを含んで構成され、電極部１０４ａが固定溝１０５ｃを貫通する。
【００５０】
図３において、点線で囲った領域Ａ０，Ａ１，Ａ２は、３種の固定溝１０５ｃ付近の遮蔽板１０５ａの形状を示している。図３においては、説明の簡略化，図の簡略化を行うために、一つのバックライト装置に、３種の形状を書き込んでいる。実際のバックライト装置１０３の固定溝１０５ｃ付近の遮蔽板１０５ａの形状は、図１に示すように同一の形状である（図１では同一形状のリフレクタ１０５ｅが各固定溝１０５ｃに付与されている。）。
【００５１】
領域Ａ０は、従来のバックライト装置１０３の固定溝１０５ｃ付近の形状であり、単に溝があるだけである。電極部１０４ａが、拡散領域にはみ出している。一般に蛍光管１０４（本実施例では、蛍光管をＥＥＦＬとしている。）の電極部１０４ａの材料は、反射率が低い金属材料で作られることが多い。そのため電極部１０４ａに光が当たると吸収され、電極部１０４ａ付近が暗くなるという現象が起こる。
【００５２】
底面１０３ｄから拡散板１０３ｂまでの拡散距離が２０mm程度の従来のバックライト装置１０３の場合、前記拡散距離が十分にあるために、その現象はほとんど知覚されなかった。
【００５３】
しかしながら、前記拡散距離を１０mm程度と、薄くした場合には、液晶表示装置１（図１参照）の表示エリアに黒い染み状のムラが、電極の位置に付随して発生する。黒い染み状のムラは、実験により表示画像を著しく劣化することが分った。これは、前記拡散距離を縮めると、電極部１０４ａの反射率が低いために電極部１０４ａ付近が暗くなるという現象が、顕著になるためである。
【００５４】
光源ユニット１０３ａの厚みが厚く、蛍光管１０４と拡散板１０３ｂとの間に充分な距離が確保される場合は、下フレーム１０３ｃの拡散領域Ｄにおける散乱によって、拡散板の輝度分布が均一化され、液晶パネル１２０（図１参照）端部も明るくなる。しかしながら、厚みの薄い光源ユニット１０３ａの場合、下フレーム１０３ｃも薄くなり、蛍光管１０４と拡散板１０３ｂの距離が短くなる。蛍光管１０４と拡散板１０３ｂの距離が短いと、蛍光管１０４から発光する光が充分に拡散されないことから拡散板１０３ｂの輝度分布が均一化されず、電極部１０４ａ付近が暗くなるという現象が、顕著になる。薄型化した際には、この電極部１０４ａ付近のムラを解決することが新しい課題となる。
【００５５】
領域Ａ１は、電極部１０４ａ付近のムラを解決するために、上サイドモールドとともに一括で成型された庇１０５ｅ０を固定溝１０５ｃの前面側端部に取り付けた場合の構造を示している。この場合、電極部１０４ａの液晶パネル側が、電極部１０４ａよりは反射率の高い白色の樹脂で覆われるために、黒い染み状のムラが緩和する。しかしながら、後述するが、薄型化した場合、これでも十分ではない場合がある。例えば、電極部１０４ａが２mm程度以上、拡散領域Ｄ側に露出している（庇１０５ｅ０の長さが２mm以上ある場合）場合には、電極部１０４ａ付近の表示画像が薄っすらと暗くなる。
【００５６】
領域Ａ２は、さらに、庇１０５ｅ０の前面側にリフレクタ１０５ｅを配置した場合である。図３領域Ａ２の構成において、庇１０５ｅ０の役割をしているのは、リフレクタ１０５ｅの電極部１０４ａに対向している面である。リフレクタ１０５ｅは、３つの面から構成される立体形状である。拡散板１０３ｂに対向する２つの面は、遮蔽板１０５ａと一定の角度を持つ面であり、発光部１０４ｂからの光を反射させ、電極部１０４ａ付近の拡散板に光を反射させる構成である。リフレクタ１０５ｅの特徴は、前記庇部１０５ｅ０より液晶パネルに近い側のカバー部材の表面に配置され、２つの反射面からなり、２つの反射面と反射面の境界を含み液晶パネルに垂直な面が蛍光管の中心付近を含むことである。また、前記境界を含み、上下方向と平行となる法線を持つ平面（前記液晶パネル１２０の表示面に垂直となる平面）に関して、２つの面は対称的な形となる。
【００５７】
このような構成とすることで、蛍光管１０４が貫通する固定溝１０５ｃに対応して配置されたリフレクタ１０５ｅは、前記蛍光管１０４の中心を基準として、上側の方向からの光を拡散板１０３ｂ方向に反射するとともに、下側からの光を拡散板１０３ｂ方向に反射することを可能としている。リフレクタ１０５ｅは電極部１０４ａと対向した位置（前記庇部１０５ｅ０の前面側）に存在しているため、リフレクタ１０５ｅでの反射光は、あたかも電極部１０４ａから出射された光のように見える。そのため、電極部１０４ａ起因のムラが抑制される。
【００５８】
リフレクタ１０５ｅは、上サイドモールドの成型とともに一括で成型される。この場合、リフレクタ１０５ｅの性能は上サイドモールドの材料と仕上げ方法に、ある程度依存し、材質としては反射率の高いものが好ましい。上サイドモールドの仕上げ方は鏡面仕上げが望ましい。鏡面仕上げのリフレクタ１０５ｅは、反射光を出来るだけ所定の位置（電極部１０４付近の拡散板１０３ｂ）に効率良く反射させるのに有効である。もちろん、鏡面仕上げでなくても、リフレクタ１０５ｅを設置することで、電極部１０４ａ（蛍光管）に対向して前面側に配置されるリフレクタ１０５ｅが拡散板に光を反射させるので、効果を奏する。
【００５９】
図４の（ａ）は図３のＸ０−Ｘ０断面図、（ｂ）は、図３のＸ１−Ｘ１断面図である。（ｃ）は、図３のＸ２−Ｘ２断面図である。Ｌ０，Ｌ１，Ｌ２，Ｌｔは、光線を表している。光線Ｌ０，Ｌ１，Ｌ２，Ｌｔを表す線の太さは光量の大きさを模擬している。
【００６０】
電極部１０４ａは、下フレーム１０３ｃと、（下サイドモールド１０６と）、上サイドモールド１０５とで形成されるカバー領域Ｓにおいて電極ホルダ１０３ｅによって保持される。すなわち、上サイドモールド１０５は、遮蔽板１０５ａで、蛍光管１０４の端部（電極部１０４ａ）を拡散領域Ｄから遮蔽する機能を有するカバー部材となる。そして、蛍光管１０４はカバー領域Ｓにおいて、図示しない給電部から電極部１０４ａに電力が供給され、発光部１０４ｂが発光する。
【００６１】
このように、カバー領域Ｓに電極ホルダ１０３ｅが配置されることで、遮蔽板１０５ａ（上サイドモールド１０５）は、電極ホルダ１０３ｅを拡散領域Ｄから遮蔽する機能を有することになる（液晶表示装置１（図１参照）の表示エリアから電極ホルダ１０３ｅが見えないようにする）。
【００６２】
さらにカバー領域Ｓには、下サイドモールド１０６が配置され、電極ホルダ１０３ｅは下サイドモールド１０６に固定される。下サイドモールド１０６は、カバー領域Ｓにおいて下フレーム１０３ｃの内面を覆うように配置される部材であって、蛍光管１０４の電極部１０４ａと下フレーム１０３ｃとの間を電気的に絶縁する機能を有する絶縁部材である。そのため、下サイドモールド１０６は、樹脂など絶縁性の高い素材で形成される。
【００６３】
第１の実施形態に係る液晶表示装置１（図１参照）は、前面から背面に向かう方向の厚みを薄くする必要があることから、バックライト装置１０３の厚みも薄くする必要がある。すなわち、光源ユニット１０３ａの厚みを薄くする必要がある。そして、図４の（ａ）に示すように、電極ホルダ１０３ｅを収納するのに充分な大きさのカバー領域Ｓを確保し、かつ、発光部１０４ｂからの光を拡散板に反射するために、上サイドモールド１０５の遮蔽板１０５ａは上面部１０５ｂの端部から、下フレーム１０３ｃの底面１０３ｄに向かって傾斜するように形成される。
【００６４】
このように形成される上サイドモールド１０５によって、蛍光管１０４の電極部１０４ａを拡散領域Ｄから遮蔽する構成とするが、前記のように光源ユニット１０３ａの厚みが薄いため、蛍光管１０４としてＥＥＦＬを使用する場合、図４の（ａ）に示すように金属などの導体からなる電極部１０４ａの一部が拡散領域Ｄに表れた状態となる（ＣＣＦＬやＨＣＦＬの場合、発光の弱い暗部が拡散領域Ｄに表れた状態）。
【００６５】
そして電極部１０４ａは発光しない。そのため、電極部１０４ａ付近の拡散板１０３ｂは、あまり照明されない。
【００６６】
図４（ａ）についてより詳細に説明する。電極部１０４ａ付近が暗くなるということは、電極部１０４ａから拡散板１０３ｂに到達する光の量が少ないことに起因している。電極部１０４ａは発光していないので、電極部１０４ａから拡散板１０３ｂに届く光Ｌ２は、発光部１０４ｂからの光Ｌ０が、少なくても、一度は電極部１０４ａで反射した光である。
【００６７】
図４（ａ）では、発光部１０４ｂからの光Ｌ０が電極部１０４ａから拡散板１０３ｂに届く場合の簡単な光線追跡の一例を示している。蛍光管１０４から発光した光Ｌ０は、拡散板１０３ｂで一部透過（光線はＬｔで表示）して、残りは反射する（光線はＬ１で表示）。反射光Ｌ１が電極部１０４ａで反射した光が光Ｌ２となる。発光部１０４ｂからの光Ｌ０が拡散板１０３ｂで透過光と反射光に分かれることと、電極部１０４ａでの反射率が低いことにより、電極部１０４ａから拡散板１０３ｂに届く光Ｌ２の量は少ない。
【００６８】
図４の（ｂ）の光線追跡例について説明する。電極部１０４ａより反射率の高い庇１０５ｅ０が備わっているため、反射光Ｌ１は、電極部１０４ａで反射する場合に比べて少ない損失で、庇１０５ｅ０で反射する。このため、電極部１０４ａ付近から拡散板１０３ｂに届く光Ｌ２の量は、庇１０５ｅ０が無い図４（ａ）の場合に比べて、多くなる。
【００６９】
図４の（ｃ）の光線追跡例について説明する。図４の（ｃ）の構成においては、発光部１０４ｂからの光Ｌ０がリフレクタ１０５ｅで直接反射されて、電極部１０４ａ付近から拡散板１０３ｂに届く光Ｌ２となる。発光部１０４ｂからの光Ｌ０の拡散板１０３ｂでの反射光Ｌ１を電極部１０４ａ付近で反射するわけではないので、電極部１０４ａ付近から拡散板１０３ｂに届く光Ｌ２の量は図４（ｂ）の場合に比べて、さらに多くなる。
【００７０】
したがって、リフレクタ１０５ｅを付与することで、電極部１０４ａ付近からより多くの光量を反射させることができる。すなわち、リフレクタ１０５ｅは電極部１０４ａ付近の黒い染み状のムラ（もしくは、電極部付近での輝度の低下）を抑制する効果を奏する。
【００７１】
ちなみに、図４（ｂ）のように、庇１０５ｅ０だけの場合は、庇の前面側反射面と蛍光管１０４が略平行であるために、発光部１０４ｂからの光Ｌ０を直接反射することは殆ど無く、そのためリフレクタ１０５ｅを付与した場合程の効果は無い。
【００７２】
また、図４の（ｃ）に示すように、リフレクタ１０５ｅは、上サイドモールド１０５と一体に成形されるとしたが、これは限定されるものではなく、別途取り付ける構成などがであっても良い。
【００７３】
《変形例》
次に、変形例について図５を用いて説明する。図５（ａ）は、上サイドモールド１０５の片側半分を前面側から見た図である。図５（ｂ）は、上サイドモールド１０５の片側半分を左方向から見た図である。図５（ｃ）は、上サイドモールド１０５に蛍光管１０４を装着した状態の斜視図である。本上サイドモールド１０５の特徴は、電極部１０４ａの前面側だけでなく、上下方向側にも庇１０５ｅ０１を設けたことである。電極部１０４ａの周囲を電極部１０４ａより反射率の高い庇で囲むことによって、電極部１０４ａの上下方向側から電極部１０４ａに入射してくる光の電極部１０４ａでの反射による損失を抑えることが可能となる。
【００７４】
また、前記庇部の前記液晶パネルと略垂直な面１０５ｅ０１よりも、略平行な面１０５ｅ０の方が、前記蛍光管の長手方向の前記筐体内側に突出している。
【００７５】
実際の製品では、蛍光管１０４は一定のマージンを持って左右方向に動く。したがって、蛍光管１０４が動いても電極部１０４ａが、液晶パネル１２０側から見えないようにするために、設計値として、前記庇部１０５ｅ０は、発光部１０４ｂを若干（１mm程度）覆うようにする。
【００７６】
一方、同時に、前記庇部１０５ｅ０１も、発光部１０４ｂを覆うと、覆われた発光部から発光した光の拡散領域Ｄへの逃げ道が極端に少なくなってしまうことから、前記庇部１０５ｅ０１は発光部１０４ｂを覆わないようにする。
【００７７】
液晶パネル１２０側から電極部１０４ａが見えると、ムラとして知覚されやすくなるために、優先的に、前記庇部１０５ｅ０で、発光部１０４ｂを若干（１mm程度）覆うようにした。
【００７８】
《第２の実施形態》
図６を用いて説明する。図６（ａ）および図６（ｂ）は、図３のＹ−Ｙ断面図である。図６（ａ）は、遮蔽板１０５ａが直線である場合を示している。図６（ｂ）は、遮蔽板１０５ａが背面方向に凹んでいる曲線形状である場合を示している。図中には、光線追跡例が示してある。図６（ｂ）のように遮蔽板１０５ａが背面方向に凹んでいる曲線形状である場合には、図６（ａ）の場合よりも拡散領域Ｄが広がる。そのため、図６（ａ）の場合よりも発光部１０４ｂからの光Ｌ０が拡散領域Ｄ端部まで届き、拡散領域Ｄ端部を多くの反射光Ｌ２が照明する。バックライト装置１０３を薄型化した場合に暗くなりがちな拡散領域Ｄ端部が明るくなる。
【００７９】
しかしながら、図６（ｂ）のように遮蔽板１０５ａが背面方向に凹んでいる曲線形状である場合には、図６（ａ）のように遮蔽板１０５ａが直線である場合よりも電極部１０４ａが拡散領域Ｄに多く露出する（図６（ｂ）中記載、距離ＥＬＥＮだけ、多く露出する。）。したがって、第１の実施形態で説明したリフレクタ１０５ｅは、図６（ｂ）のように遮蔽板１０５ａが背面方向に凹んでいる曲線形状の場合に、より重要になる。
【００８０】
蛍光管１０４と蛍光管１０４の間の断面形状が背面方向（液晶パネルから遠ざかる方向）に凹んでいる曲線形状である構成において、リフレクタ１０５ｅを固定溝１０５ｃに対応して配置させることで、バックライト装置１０３を薄型化した場合に暗くなりがちな拡散領域Ｄ端部を明るくするとともに、電極部１０４ａ付近の輝度低下を抑制する効果を奏する。つまり、蛍光管１０４と蛍光管１０４の間の拡散領域Ｄ端部を照明する光量と、固定溝１０５ｃ付近の拡散板１０３ｂを照明する光量を同時に増やすという効果を奏するということである。
【００８１】
本願実施例で説明した固定溝１０５ｃ付近の遮蔽板１０５ａの形状は、大まかには、庇部となる面と蛍光管からの光を拡散板に反射する２つの面（リフレクタ１０５ｅ）と、から構成される立体形状であるが、本発明は、この形状に限定されるものではない。後述するが、リフレクタ形状は、複数の面からなる四角錐，円錐，多角錐形状であっても良いし、蛍光管からの光を拡散板に反射する２つの面は、自由曲面形状であっても良い。リフレクタの角にＲが付与されていても良い。
【００８２】
以下、種々の変形例について説明する。
【００８３】
《変形例２》
図７を用いてリフレクタ１０５ｅの変形例を説明する。図７（ａ）は変形例２の斜視図である。特に断らない限り、符号等は上述した実施例で定義したものと同一の意味を持つ。図面は、本変形例に、主に関係する箇所のみを記載する。
【００８４】
点線で記されている平面Ｓ１は、前記庇部１０５ｅ０を含み、液晶パネル１２０（底面１０３ｄ）に垂直な面である。点線で記されている平面Ｓ２は、隣接する蛍光管１０４と蛍光管１０４の中間に存在する遮蔽板１０５ａ（カバー部材）を含み、液晶パネル１２０（底面１０３ｄ）に垂直な面である。点線で記されている平面Ｓ３は、前記庇部１０５ｅ０を含み液晶パネル１２０（底面１０３ｄ）に平行な面である。説明簡略化のために、左右方向をｘ軸（右方向を正の方向）とし、上下方向をｙ軸（上方向を正の方向）とし、前面背面方向をｚ軸（前面方向を正の方向）として、３次元直交座標系ｘｙｚを定義した。平面Ｓ１およびＳ２は、ｚ−ｘ面に平行である。平面Ｓ１は、リフレクタ１０５ｅが対応している蛍光管１０４の中心付近を含む。平面Ｓ３は、ｘ−ｙ面に平行である。
【００８５】
図７（ａ）に示す固定溝１０５ｃ付近の遮蔽板１０５ａの形状は、３つの反射面からなるリフレクタ１０５ｅと電極部１０４ａに対向する面からなる立体形状である。庇部１０５ｅ０に相当する面は、電極部１０４ａに対向する面である。
【００８６】
３つの反射面を特徴づける法線Ｎ０，Ｎ１，Ｎ２の向きを考えると、法線Ｎ０はｙ軸成分が殆どゼロとなる。その他の法線Ｎ１，Ｎ２は、平面Ｓ１に関して対称的である。これは、リフレクタ１０５ｅの形状が平面Ｓ１に関して対称的であるためである。
【００８７】
したがって、リフレクタ１０５ｅは、前記リフレクタ１０５ｅが対応している蛍光管１０４の中心を含み、底面１０３ｄに垂直で、且つ、蛍光管の長手方向（ｘ軸方向）に平行な平面に関して対称的な形状となる。前記対称的な形状とすることで、２つの隣接する蛍光管１０４からの光を拡散板１０３ｂ方向に反射することが可能となる。
【００８８】
ここで本発明の特徴は、庇部を含み、液晶パネルに垂直な面を平面Ｓ１とし、隣接する蛍光管と蛍光管の中間に存在する遮蔽板を含み、液晶パネルに垂直な面を平面Ｓ２とし、庇部を含み、液晶パネルに平行な面を平面Ｓ３とした場合に、平面Ｓ１に含まれるカバー部材の断面形状の平面Ｓ３よりも液晶パネル側にある部分と、平面Ｓ２に含まれるカバー部材の断面形状の平面Ｓ３よりも液晶パネル側にある部分とが、異なる構成とすることである。
【００８９】
図７（ａ）中に示される点線Ｌ０，Ｌ２は、それぞれ発光部１０４ｂからの光、リフレクタ１０５ｅで反射されて拡散板１０３ｂに届く光を表している。発光部１０４ｂからの光は、第１の実施形態で説明したように、リフレクタ１０５ｅで反射されて、直接、拡散板１０３ｂに届き、電極部１０４ａ付近が暗くなるのを抑制している。
【００９０】
リフレクタ１０５ｅの断面形状を図７（ｂ）を用いて説明する。断面形状ＬＮＳ１は、平面Ｓ１に含まれるリフレクタ１０５ｅ（遮蔽板１０５ａ）の断面形状である。断面形状ＬＮＳ２は、平面Ｓ２に含まれる遮蔽板１０５ａの断面形状である。１０５ｓは、斜面の始まる地点を表している。断面形状ＬＮＳ２は、途中で実線から点線に変わっているが、点線は平面Ｓ３より背面側の形状を表している。
【００９１】
平面Ｓ３より前面側の断面形状を比較すると、断面形状ＬＮＳ１と断面形状ＬＮＳ２は異なる形状となっている。さらに、リフレクタ１０５ｅが存在しするために、断面形状ＬＮＳ１は、断面形状ＬＮＳ２よりも、前面側に突出している部分を有する。これは、前記庇部１０５ｅ０の前面側が平面ではなく、前記庇部１０５ｅ０の前面側に光を反射するリフレクタ１０５ｅが備わっているためである。
【００９２】
底面１０３ｄから上面部１０５ｂまでの距離ｄｈを１０mmと想定し、蛍光管１０４として直径３.０mmφのＥＥＦＬを想定した場合は、平面Ｓ３から上面部１０５ｂまでの距離ｄｈｒは、３〜５mm程度となる。したがって、リフレクタ１０５ｅのｚ軸方向の大きさは、３〜５mm程度となる。リフレクタ１０５ｅのｘ軸方向の大きさは、電極部１０４ａの長手方向の長さや、下フレーム１０３ｃの外形に依存するが、２〜１０mm程度となる。但し、此処に記載される寸法に、本発明は限定されない。
【００９３】
また、前記庇部の前記液晶パネルと略垂直な面１０５ｅ０１よりも、略平行な面１０５ｅ０の方が、前記蛍光管の長手方向の前記筐体内側に突出している。
【００９４】
実際の製品では、蛍光管１０４は一定のマージンを持って左右方向に動く。したがって、蛍光管１０４が動いても電極部１０４ａが、液晶パネル１２０側から見えないようにするために、設計値として、前記庇部１０５ｅ０は、発光部１０４ｂを若干（１mm程度）覆うようにする。
【００９５】
一方、同時に、前記庇部１０５ｅ０１も、発光部１０４ｂを覆うと、覆われた発光部から発光した光の拡散領域Ｄへの逃げ道が極端に少なくなってしまうことから、前記庇部１０５ｅ０１は発光部１０４ｂを覆わないようにする。
【００９６】
液晶パネル１２０側から電極部１０４ａが見えると、ムラとして知覚されやすくなるために、優先的に、前記庇部１０５ｅ０で、発光部１０４ｂを若干（１mm程度）覆うようにした。
【００９７】
《変形例３》
図８を用いてリフレクタ１０５ｅの変形例を説明する。図８（ａ）は変形例３の斜視図である。本変形例の特徴は、リフレクタ１０５ｅが複数枚の反射面で構成されるのではなく、自由曲面形状であることである。しかしながら、本質的な特徴は変形例２で述べた通りである。リフレクタ１０５ｅの部分は簡略化したワイヤーフレーム図である。特に断らない限り、符号等は上述した実施例で定義したものと同一の意味を持つ。図面は、本変形例に、主に関係する箇所のみを記載する。
【００９８】
リフレクタ１０５ｅの形状は、平面Ｓ１に関して対称的である。平面Ｓ１に関して対称的な位置にあるリフレクタ１０５ｅの部位を特徴づける法線Ｎ１，Ｎ２の向きは、平面Ｓ１に関して対称的となる。
【００９９】
したがって、リフレクタ１０５ｅは、前記リフレクタ１０５ｅが対応している蛍光管１０４の中心を含み、底面１０３ｄに垂直で、且つ、蛍光管の長手方向（ｘ軸方向）に平行な平面に関して対称的な形状となる。前記対称的な形状とすることで、２つの隣接する蛍光管１０４からの光を拡散板１０３ｂ方向に反射することが可能となる。
【０１００】
リフレクタ１０５ｅの断面形状を図８（ｂ）を用いて説明する。断面形状ＬＮＳ１は、平面Ｓ１に含まれるリフレクタ１０５ｅ（遮蔽板１０５ａ）の断面形状である。断面形状ＬＮＳ２は、平面Ｓ２に含まれる遮蔽板１０５ａの断面形状である。１０５ｓは、斜面の始まる地点を表している。断面形状ＬＮＳ２は、途中で実線から点線に変わっているが、点線は平面Ｓ３より背面側の形状を表している。
【０１０１】
平面Ｓ３より前面側の断面形状を比較すると、断面形状ＬＮＳ１と断面形状ＬＮＳ２は異なる形状となっている。さらに、リフレクタ１０５ｅが存在しするために、断面形状ＬＮＳ１は、断面形状ＬＮＳ２よりも、前面側に突出している部分を有する。これは、前記庇部１０５ｅ０の前面側が平面ではなく、前記庇部１０５ｅ０の前面側に光を反射するリフレクタ１０５ｅが備わっているためである。
【０１０２】
底面１０３ｄから上面部１０５ｂまでの距離ｄｈを１０mmと想定し、蛍光管１０４として直径３.０mmφのＥＥＦＬを想定した場合は、平面Ｓ３から上面部１０５ｂまでの距離ｄｈｒは、３〜５mm程度となる。したがって、リフレクタ１０５ｅのｚ軸方向の大きさは、３〜５mm程度となる。リフレクタ１０５ｅのｘ軸方向の大きさは、電極部１０４ａの長手方向の長さや、下フレーム１０３ｃの外形に依存するが、２〜１０mm程度となる。但し、此処に記載される寸法に、本発明は限定されない。
【０１０３】
《変形例４》
図９を用いてリフレクタ１０５ｅの変形例を説明する。図９（ａ）は変形例４の斜視図である。本変形例の特徴は、前記庇部１０５ｅ０の前面側に、リフレクタ１０５ｅとしてのピラミッド形状の突起物を配置している点である。この突起物は四角錐に限らず、多角推や、円錐でも効果を奏する。特に断らない限り、符号等は上述した実施例で定義したものと同一の意味を持つ。図面は、本変形例に、主に関係する箇所のみを記載する。
【０１０４】
電極部１０４ａ付近の拡散板１０３ｂを明るくする方法は、本質的に第１の実施形態で述べたものと変わらない。蛍光管１０４からの光Ｌ０をリフレクタ１０５ｅで反射して、反射光Ｌ２にて、直接、拡散板１０３ｂを照射することで、電極部１０４ａ付近の拡散板１０３ｂを明るくする。
【０１０５】
リフレクタ１０５ｅの断面形状を図９（ｂ）を用いて説明する。断面形状ＬＮＳ１は、平面Ｓ１に含まれるリフレクタ１０５ｅ（遮蔽板１０５ａ）の断面形状である。断面形状ＬＮＳ２は、平面Ｓ２に含まれる遮蔽板１０５ａの断面形状である。１０５ｓは、斜面の始まる地点を表している。断面形状ＬＮＳ２は、途中で実線から点線に変わっているが、点線は平面Ｓ３より背面側の形状を表している。
【０１０６】
平面Ｓ３より前面側の断面形状を比較すると、断面形状ＬＮＳ１と断面形状ＬＮＳ２は、一部同一の形状となっている部分がある。断面形状ＬＮＳ２と平面Ｓ３の交点ＣＲＳより左側に、断面形状ＬＮＳ１は前面側に突出している部分を有する。
【０１０７】
底面１０３ｄから上面部１０５ｂまでの距離ｄｈを１０mmと想定し、蛍光管１０４として直径３.０mmφのＥＥＦＬを想定した場合は、平面Ｓ３から上面部１０５ｂまでの距離ｄｈｒは、３〜５mm程度となる。このとき、リフレクタ１０５ｅのｚ軸方向の大きさは、２〜４mm程度となる。リフレクタ１０５ｅのｘ軸方向の大きさは、電極部１０４ａの長手方向の長さや、下フレーム１０３ｃの外形に依存するが、２〜１０mm程度となる。但し、此処に記載される寸法に、本発明は限定されない。
【０１０８】
《変形例５》
図１２を用いてリフレクタ１０５ｅの変形例を説明する。図１２（ａ）は変形例５の斜視図である。本変形例の主な特徴の一つは、前記庇部１０５ｅ０の左方向から見た形状（図１２（ｃ）参照）が円弧であるということである。
【０１０９】
特に断らない限り、符号等は上述した実施例で定義したものと同一の意味を持つ。図面は、本変形例に、主に関係する箇所のみを記載する。
【０１１０】
リフレクタ１０５ｅの形状は、平面Ｓ１に関して対称的である。平面Ｓ１に関して対称的な位置にあるリフレクタ１０５ｅの部位を特徴づける法線Ｎ１，Ｎ２の向きは、平面Ｓ１に関して対称的となる。
【０１１１】
したがって、リフレクタ１０５ｅは、前記リフレクタ１０５ｅが対応している蛍光管１０４の中心を含み、底面１０３ｄに垂直で、且つ、蛍光管の長手方向（ｘ軸方向）に平行な平面に関して対称的な形状となる。前記対称的な形状とすることで、２つの隣接する蛍光管１０４からの光を拡散板１０３ｂ方向に反射することが可能となる（上下端部に位置する蛍光管においては、隣接する蛍光管は１本である。）。
【０１１２】
リフレクタ１０５ｅの断面形状を図１２（ｂ）を用いて説明する。断面形状ＬＮＳ１は、平面Ｓ１に含まれるリフレクタ１０５ｅ（遮蔽板１０５ａ）の断面形状である。断面形状ＬＮＳ２は、平面Ｓ２に含まれる遮蔽板１０５ａの断面形状である。１０５ｓは、斜面の始まる地点を表している。断面形状ＬＮＳ２は、途中で実線から点線に変わっているが、点線は平面Ｓ３より背面側の形状を表している。平面Ｓ３のｚ座標は、平面Ｓ１と庇部１０５ｅ０の交点のｚ座標に一致する。
【０１１３】
平面Ｓ３より前面側の断面形状を比較すると、断面形状ＬＮＳ１と断面形状ＬＮＳ２は、一部同一の形状となっている部分がある。断面形状ＬＮＳ１と断面形状ＬＮＳ２は、点ＢＲＫより左側で異なる形状となっている。
【０１１４】
さらに、リフレクタ１０５ｅが存在するために、点ＢＲＫより左側で断面形状ＬＮＳ１は、断面形状ＬＮＳ２よりも、前面側に突出している部分を有する。これは、前記庇部１０５ｅ０の前面側が平面ではなく、前記庇部１０５ｅ０の前面側に光を反射するリフレクタ１０５ｅが備わっているためである。
【０１１５】
また、本例では、断面形状ＬＮＳ２は、曲線ではなく直線である。断面形状ＬＮＳ２と底面１０３ｄのなす角度θ０は、４５度である。これは、角度θ０を４５度程度とした場合に、最も左右端部（上サイドモールド１０５付近の拡散板１０３ｂ）が明るくなるためである。４５度程度が最も明るくなることは、実験により確認した。角度４５度程度が最も明るくなるのは、ｘ軸と概ね平行な光線が、上サイドモールド１０５で直角に反射して拡散板１０３ｂ方向へ向かう角度であるためである（上サイドモールド１０５での反射は散乱反射であるため、全ての光が拡散板１０３ｂ方向へ向かうわけではない。しかしながら、散乱反射であっても、一般的には正反射方向により多くの光が反射される。そのために、角度θ０を４５度とすることで、より多くの光が拡散板方向に反射される）。同様の理由で、リフレクタ１０５ｅの左側先端部の断面形状の角度θ１も、４５度とした。
【０１１６】
底面１０３ｄから上面部１０５ｂまでの距離ｄｈを１０mmと想定し、蛍光管１０４として直径３.０mmφのＥＥＦＬを想定した場合は、平面Ｓ３から上面部１０５ｂまでの距離ｄｈｒは、３〜５mm程度となる。本変形例におけるリフレクタ１０５ｅのｚ軸方向の大きさ（距離ｄｒ１＋距離ｄｒ２）は、１〜５mm程度である。リフレクタ１０５ｅの左側先端部のｚ軸方向の大きさ（距離ｄｒ２）は、上サイドモールドの成型できる最低肉厚（０.５〜２mm程度）以上である。
【０１１７】
リフレクタ１０５ｅのｘ軸方向の大きさは、電極部１０４ａの長手方向の長さや、下フレーム１０３ｃの外形に依存するが、１〜１０mm程度となる。但し、此処に記載される寸法に、本発明は限定されない。上述したようにリフレクタ１０５ｅの形状は種々の組み合わせ及び変更が可能である。
【０１１８】
《第３の実施形態》
図１０を用いて説明する。図１０は、第３の実施形態の斜視図である。特に断らない限り、符号等は上述した実施例で定義したものと同一の意味を持つ。図面は、本実施形態例に、主に関係する箇所のみを記載する。
【０１１９】
本実施形態で注目するのは、液晶パネル１２０の四隅である。つまり、上サイドモールド１０５の上下端部である。図１０は下端が描かれている。液晶パネル１２０の四隅は、最も光が届き難い部位である。したがって、この部位は、十分に対策する必要がある。
【０１２０】
本実施形態で説明する対策は、斜面の始まる地点１０５ｓを上サイドモールド１０５の上下端部で、右側に配置される上サイドモールドの場合は右側に移動し（図１０の１０５ｓ１参照）、左側に配置される上サイドモールドの場合は左側に移動することである。斜面の始まる地点１０５ｓをより、拡散領域Ｄが広がるようにシフトすることで、光をより隅まで届くようにして、四隅を明るくする構成である。
【０１２１】
《第４の実施形態》
図１１を用いて説明する。図１１は、第４の実施形態を示す図である。特に断らない限り、符号等は上述した実施例で定義したものと同一の意味を持つ。図面は、本実施形態例に、主に関係する箇所のみを記載する。右側に配置されている上サイドモールドの前記庇部周辺を、左側から見た場合の図である。前記庇部周辺部を拡大して描いてある。
【０１２２】
本実施形態例で注目するは、左右端部を、斜め方向から見た場合（ｘ−ｚ面内において、ｚ方向を角度０度としたときに、４５度程度以上の方向から左右端部を見た場合）のムラである。
【０１２３】
このムラの一因は、蛍光管１０４と庇部１０５ｅ０，１０５ｅ０１との隙間が黒く見えることに因る。蛍光管１０４と庇部１０５ｅ０，１０５ｅ０１との隙間は、上サイドモールド樹脂の熱膨張や、液晶モジュールの輸送時に蛍光管１０４が庇部１０５ｅ０，１０５ｅ０１に当たって割れないために、蛍光管１０４の周囲に１mm程度とる。
【０１２４】
これを解決するために、図１１に示すように、白色の弾性体１０４ａｓを蛍光管１０４と庇部１０５ｅ０，１０５ｅ０１との隙間に配置する。
【０１２５】
白色の弾性体１０４ａｓを蛍光管１０４と庇部１０５ｅ０，１０５ｅ０１との隙間に配置することで、光が白色の弾性体１０４ａｓで反射し、ムラを抑制するとともに、蛍光管１０４と庇部１０５ｅ０，１０５ｅ０１とのクッションの役割を果たす。
【０１２６】
本技術は、特に、反射率の低い電極部が外部に出ているＥＥＦＬで有効である。
【図面の簡単な説明】
【０１２７】
【図１】本発明の第１の実施形態に係る液晶表示装置の構成斜視図である。
【図２】本発明の液晶パネルの配線と駆動回路の配置及びＴＦＴと画素電極の配置を示す図である。
【図３】本発明のバックライト装置の全体を示す斜視図である。
【図４】本発明のバックライト装置の一実施例の断面構造を示した図である。
【図５】本発明のバックライト装置の一実施例のリフレクタを示す断面図及び斜視図である。
【図６】本発明のバックライト装置の他の実施例の一断面構造を示した図である。
【図７】本発明のバックライト装置の他の実施例のリフレクタを示す図である。
【図８】本発明のバックライト装置の他の実施例のリフレクタを示す図である。
【図９】本発明のバックライト装置の他の実施例のリフレクタを示す図である。
【図１０】本発明のバックライト装置の他の実施例のリフレクタを示す図である。
【図１１】本発明のバックライト装置の他の実施例のリフレクタを示す断面図である。
【図１２】本発明のバックライト装置の他の実施例のリフレクタを示す断面図及び斜視図である。
【符号の説明】
【０１２８】
１  液晶表示装置
１０３  バックライト装置
１０３ａ  光源ユニット
１０３ｂ  拡散板
１０３ｃ  下フレーム（筺体）
１０３ｄ  底面
１０３ｅ  電極ホルダ
１０４  蛍光管
１０４ａ  電極部
１０４ｂ  発光部
１０５  上サイドモールド（カバー部材）
１０６  下サイドモールド（絶縁部材）
１０５ａ  遮蔽板
１０５ｅ  リフレクタ
１２０  液晶パネル
Ｃ  左右中心
Ｄ  拡散領域
Ｌ  光
【図１】
0004949990.tif 000002
【図２】
0004949990.tif 000003
【図３】
0004949990.tif 000004
【図４】
0004949990.tif 000005
【図５】
0004949990.tif 000006
【図６】
0004949990.tif 000007
【図７】
0004949990.tif 000008
【図８】
0004949990.tif 000009
【図９】
0004949990.tif 000010
【図１０】
0004949990.tif 000011
【図１１】
0004949990.tif 000012
【図１２】
0004949990.tif 000013